(57)【要約】【課題】特定の移動局ＵＥが特定エリア内のセルに移動した場合に所望無線品質を測定させて報告させる。【解決手段】本発明に係る移動通信方法は、移動管理ノードＭＭＥが、移動局ＵＥが測定対象エリア内のセル＃１に移動したことを検知した場合に、セル＃１を管理する無線基地局ｅＮＢ＃１に対して、所望無線品質の測定及び報告を行うように指示するための「Ｍｅａｓｕｒｅｍｅｎｔ  Ｃｏｎｆｉｇｕｒａｔｉｏｎ＃１」を送信する工程と、無線基地局ｅＮＢ＃１が、移動局ＵＥに対して、「Ｍｅａｓｕｒｅｍｅｎｔ  Ｃｏｎｆｉｇｕｒａｔｉｏｎ＃１」を含む「ＲＲＣ  Ｃｏｎｎｅｃｔｉｏｎ  Ｒｅｃｏｎｆｉｇｕｒａｔｉｏｎ」を送信する工程とを有する。【選択図】図４
2012005109.tif 000002
【特許請求の範囲】
【請求項１】
移動管理ノードが、移動局が測定対象エリア内の第１セルに移動したことを検知した場合に、該第１セルを管理する第１無線基地局に対して、所望無線品質の測定及び報告を行うように指示するための第１指示情報を送信する工程と、
前記第１無線基地局が、前記移動局に対して、前記第１指示情報を送信する工程とを有することを特徴とする移動通信方法。
【請求項２】
前記移動管理ノードが、前記移動局が前記測定対象エリア外の第２セルに移動したことを検知した場合に、該第２セルを管理する第２無線基地局に対して、前記所望無線品質の測定及び報告を停止するように指示するための第２指示情報を送信する工程と、
前記第２無線基地局が、前記移動局に対して、前記第２指示情報を送信する工程とを有することを特徴とする請求項１に記載の移動通信方法。
【請求項３】
前記移動管理ノードが、前記第１無線基地局に対して、前記測定対象エリアを特定する情報を送信する工程と、
前記第１無線基地局が、前記測定対象エリア外の第２セルを管理する第２無線基地局に対して、前記測定対象エリアを特定する情報を送信する工程と、
前記第２無線基地局が、前記測定対象エリアを特定する情報に基づいて、前記移動局が前記第２セルに移動したことを検知した場合に、該移動局に対して、前記所望無線品質の測定及び報告を停止するように指示するための第２指示情報を送信する工程とを有することを特徴とする請求項１に記載の移動通信方法。
【請求項４】
前記第１無線基地局は、前記第２無線基地局に対して、ハンドオーバ要求信号によって、前記測定対象エリアを特定する情報を送信することを特徴とする請求項３に記載の移動通信方法。
【請求項５】
前記移動管理ノードは、前記第１無線基地局から受信したパス切り替え要求信号或いはハンドオーバ通知信号に応じて、前記移動局が前記第１セルに移動したことを検知することを特徴とする請求項１に記載の移動通信方法。
【請求項６】
移動管理ノードが、移動局が測定対象エリア内の第１セルでＡｔｔａｃｈ処理を行ったことを検知した場合に、該第１セルを管理する第１無線基地局に対して、所望無線品質の測定及び報告を行うように指示するための第１指示情報を送信する工程と、
前記第１無線基地局が、前記移動局に対して、前記第１指示情報を送信する工程とを有することを特徴とする移動通信方法。
【請求項７】
移動管理ノードが、移動局が測定対象エリア内の第１セルで「ＲＲＣ_ＣＯＮＮＥＣＴＥＤ状態」に遷移したことを検知した場合に、該第１セルを管理する第１無線基地局に対して、所望無線品質の測定及び報告を行うように指示するための第１指示情報を送信する工程と、
前記第１無線基地局が、前記移動局に対して、前記第１指示情報を送信する工程とを有することを特徴とする移動通信方法。
【発明の詳細な説明】
【技術分野】
【０００１】
本発明は、移動通信方法に関する。
【背景技術】
【０００２】
３ＧＰＰでは、特定の移動局ＵＥに所望無線品質を測定させて報告させる「ＭＤＴ（Ｍｉｎｉｍｉｓａｔｉｏｎ  ｏｆ  Ｄｒｉｖｅ  Ｔｅｓｔｓ）」という手法が議論されている。
【先行技術文献】
【非特許文献】
【０００３】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【発明の概要】
【発明が解決しようとする課題】
【０００４】
しかしながら、上述のＭＤＴでは、特定の移動局ＵＥが特定エリア内のセルに移動した場合に所望無線品質を測定させて報告させる具体的な方法について規定されていない。
【０００５】
そこで、本発明は、上述の課題に鑑みてなされたものであり、特定の移動局ＵＥが特定エリア内のセルに移動した場合に所望無線品質を測定させて報告させることができる移動通信方法を提供することを目的とする。
【課題を解決するための手段】
【０００６】
本発明の第１の特徴は、移動通信方法であって、移動管理ノードが、移動局が測定対象エリア内の第１セルに移動したことを検知した場合に、該第１セルを管理する第１無線基地局に対して、所望無線品質の測定及び報告を行うように指示するための第１指示情報を送信する工程と、前記第１無線基地局が、前記移動局に対して、前記第１指示情報を送信する工程とを有することを要旨とする。
【０００７】
本発明の第２の特徴は、移動通信方法であって、移動管理ノードが、移動局が測定対象エリア内の第１セルでＡｔｔａｃｈ処理を行ったことを検知した場合に、該第１セルを管理する第１無線基地局に対して、所望無線品質の測定及び報告を行うように指示するための第１指示情報を送信する工程と、前記第１無線基地局が、前記移動局に対して、前記第１指示情報を送信する工程とを有することを要旨とする。
【０００８】
本発明の第３の特徴は、移動通信方法であって、移動管理ノードが、移動局が測定対象エリア内の第１セルで「ＲＲＣ_ＣＯＮＮＥＣＴＥＤ状態」に遷移したことを検知した場合に、該第１セルを管理する第１無線基地局に対して、所望無線品質の測定及び報告を行うように指示するための第１指示情報を送信する工程と、前記第１無線基地局が、前記移動局に対して、前記第１指示情報を送信する工程とを有することを要旨とする。
【発明の効果】
【０００９】
以上説明したように、本発明によれば、特定の移動局ＵＥが特定エリア内のセルに移動した場合に所望無線品質を測定させて報告させることができる移動通信方法を提供することができる。
【図面の簡単な説明】
【００１０】
【図１】本発明の第１の実施形態に係る移動通信システムの全体構成図である。
【図２】本発明の第１の実施形態に係る移動管理ノードの機能ブロック図である。
【図３】本発明の第１の実施形態に係る移動管理ノード及び無線基地局による測定対象エリアの管理方法の一例を説明するための図である。
【図４】本発明の第１の実施形態に係る移動通信システムの動作を示すシーケンス図である。
【図５】本発明の第２の実施形態に係る無線基地局の機能ブロック図である。
【図６】本発明の第２の実施形態に係る移動通信システムの動作を示すシーケンス図である。
【図７】本発明の第２の実施形態に係る移動通信システムで用いられる「ＴＲＡＣＥ  ＳＴＡＲＴ」内の情報要素「Ｔｒａｃｅ  Ａｃｔｉｖａｔｉｏｎ」のフォーマット例を示す図である。
【図８】本発明の第２の実施形態に係る移動通信システムで用いられる「Ｈａｎｄｏｖｅｒ  Ｐｒｅｐａｒａｔｉｏｎ  Ｉｎｆｏｒｍａｔｉｏｎ」のフォーマット例を示す図である。
【図９】本発明の第２の実施形態に係る移動通信システムで用いられる「Ｈａｎｄｏｖｅｒ  Ｐｒｅｐａｒａｔｉｏｎ  Ｉｎｆｏｒｍａｔｉｏｎ」内の情報要素「ＡＳ-Ｃｏｎｆｉｇ」のフォーマット例を示す図である。
【図１０】本発明の第２の実施形態に係る移動通信システムで用いられる「Ｈａｎｄｏｖｅｒ  Ｐｒｅｐａｒａｔｉｏｎ  Ｉｎｆｏｒｍａｔｉｏｎ」内の情報要素「ＡＳ-Ｃｏｎｆｉｇ」内の情報要素「ＭｅａｓＣｏｎｆｉｇ」のフォーマット例を示す図である。
【図１１】本発明の第２の実施形態に係る移動通信システムで用いられる「Ｈａｎｄｏｖｅｒ  Ｐｒｅｐａｒａｔｉｏｎ  Ｉｎｆｏｒｍａｔｉｏｎ」内の情報要素「ＡＳ-Ｃｏｎｆｉｇ」内の情報要素「ＭｅａｓＣｏｎｆｉｇ」内の情報要素「ＭｅａｓＯｂｊｅｃｔＴｏＡｄｄＭｏｄＬｉｓｔ」及び「ＭｅａｓＯｂｊｅｃｔＥＵＴＲＡ」のフォーマット例を示す図である。
【発明を実施するための形態】
【００１１】
（本発明の第１の実施形態に係る移動通信システム）
図１乃至図４を参照して、本発明の第１の実施形態に係る移動通信システムについて説明する。
【００１２】
図１に示すように、本実施形態に係る移動通信システムは、Ｏ＆Ｍ（Ｏｐｅｒａｔｉｏｎ  ＆  Ｍａｉｎｔｅｎａｎｃｅ）サーバと、移動管理ノードＭＭＥ（Ｍｏｂｉｌｉｔｙ  Ｍａｎａｇｅｍｅｎｔ  Ｅｎｔｉｔｙ）と、無線基地局ｅＮＢとを具備している。
【００１３】
本実施形態に係る移動通信システムは、特定の移動局ＵＥが測定対象エリア内のセルに移動した場合に所望無線品質を測定させて報告させるように構成されている。
【００１４】
図２に示すように、Ｏ＆Ｍサーバは、移動管理ノードＭＭＥに対して、測定対象エリア内のセルを管理する無線基地局に対して、測定対象エリアを特定する情報や、ＭＤＴとして測定すべき所望無線品質や、ＭＤＴにおける測定結果の報告方法等について、事前に設定するように構成されている。
【００１５】
例えば、測定対象エリアを特定する情報としては、測定対象エリア内に含まれるセルを識別するセルＩＤ（「Ｅ-ＣＧＩ：Ｅｖｏｌｖｅｄ  Ｃｅｌｌ  Ｇｌｏｂａｌ  Ｉｄｅｎｔｉｔｙ」や「ＰＣＩ：Ｐｈｙｓｉｃａｌ  Ｃｅｌｌ  Ｉｄｅｎｔｉｔｙ」等）、若しくは、複数セルの集合を示す「ＴＡＩ（Ｔｒａｋｉｎｇ  Ａｒｅａ  ＩＤ）」等が挙げられる。
【００１６】
図２に示すように、移動管理ノードＭＭＥは、測定対象エリア管理部１１と、指示部１２とを具備している。
【００１７】
測定対象エリア管理部１１は、Ｏ＆Ｍサーバから取得した測定対象エリアを特定する情報や、ＭＤＴとして測定すべき所望無線品質や、ＭＤＴにおける測定結果の報告方法等を管理するように構成されている。
【００１８】
なお、測定対象エリア管理部１１は、図３（ａ）及び図３（ｂ）に示すように、測定対象エリアが緯度経度情報によって指定されている場合、測定対象エリアを特定する情報として、緯度経度情報によって指定された測定対象エリアを含むセル又はＴＡ（Ｔｒａｃｋｉｎｇ  Ａｒｅａ）のリストを管理するように構成されていてもよい。
【００１９】
指示部１２は、移動局ＵＥが測定対象エリア内のセル＃１に移動したことを検知した場合に、セル＃１を管理する無線基地局ｅＮＢ＃１に対して、所望無線品質の測定及び報告を行うように指示するための「Ｍｅａｓｕｒｅｍｅｎｔ  Ｃｏｎｆｉｇｕｒａｔｉｏｎ＃１」を送信するように構成されている。
【００２０】
具体的には、指示部１２は、「ＴＲＡＣＥ  ＳＴＡＲＴ」によって、「Ｍｅａｓｕｒｅｍｅｎｔ  Ｃｏｎｆｉｇｕｒａｔｉｏｎ＃１」を送信するように構成されている。
【００２１】
また、指示部１２は、移動局ＵＥが測定対象エリア外のセル＃２に移動したことを検知した場合に、セル＃２を管理する無線基地局ｅＮＢ＃２に対して、所望無線品質の測定及び報告を停止するように指示するための「Ｍｅａｓｕｒｅｍｅｎｔ  Ｃｏｎｆｉｇｕｒａｔｉｏｎ＃２」を送信するように構成されている。
【００２２】
具体的には、指示部１２は、「ＤＥＡＣＴＩＶＡＴＥ  ＴＲＡＣＥ」によって、「Ｍｅａｓｕｒｅｍｅｎｔ  Ｃｏｎｆｉｇｕｒａｔｉｏｎ＃２」を送信するように構成されている。
【００２３】
以下、図４を参照して、本実施形態に係る移動通信システムの動作について説明する。
【００２４】
図４に示すように、ステップＳ１００１において、無線基地局ｅＮＢ＃１は、移動局ＵＥのセル＃１に対するハンドオーバ処理を行う場合、移動管理ノードＭＭＥに対して、「ＰＡＴＨ  ＳＷＩＴＣＨ  ＲＥＱＵＥＳＴ」或いは「ＨＯ  ＮＯＴＩＦＹ」を送信する。
【００２５】
移動管理ノードＭＭＥは、「ＰＡＴＨ  ＳＷＩＴＣＨ  ＲＥＱＵＥＳＴ」を受信した場合、ステップＳ１００２において、無線基地局ｅＮＢ＃１に対して、「ＰＡＴＨ  ＳＷＩＴＣＨ  ＡＣＫＮＯＷＬＥＤＧＥＭＥＮＴ」を送信すると共に、ステップＳ１００３において、「ＰＡＴＨ  ＳＷＩＴＣＨ  ＲＥＱＵＥＳＴ」に含まれているセル＃１のＥ-ＣＧＩやＴＡＩ（Ｔｒａｃｋｉｎｇ  Ａｒｅａ  Ｉｄｅｎｔｉｔｙ）に基づいて、移動局ＵＥが測定対象エリア内のセル＃１に移動したことを検知し、ステップＳ１００４において、無線基地局ｅＮＢ＃１に対して、所望無線品質の測定及び報告を行うように指示するための「Ｍｅａｓｕｒｅｍｅｎｔ  Ｃｏｎｆｉｇｕｒａｔｉｏｎ＃１」を含む「ＴＲＡＣＥ  ＳＴＡＲＴ」を送信する。
【００２６】
一方、移動管理ノードＭＭＥは、「ＨＯ  ＮＯＴＩＦＹ」を受信した場合、ステップＳ１００３において、「ＰＡＴＨ  ＳＷＩＴＣＨ  ＲＥＱＵＥＳＴ」に含まれているセル＃１のＥ-ＣＧＩやＴＡＩに基づいて、移動局ＵＥが測定対象エリア内のセル＃１に移動したことを検知し、ステップＳ１００４において、無線基地局ｅＮＢ＃１に対して、所望無線品質の測定及び報告を行うように指示するための「Ｍｅａｓｕｒｅｍｅｎｔ  Ｃｏｎｆｉｇｕｒａｔｉｏｎ＃１」を含む「ＴＲＡＣＥ  ＳＴＡＲＴ」を送信する。
【００２７】
ステップＳ１００３の処理は、上述のハンドオーバに伴う処理（すなわち、ステップＳ１００１及び１００２の処理）が行われたケースに限らず、移動局ＵＥがネットワークに接続するＡｔｔａｃｈ処理が行われたこと、若しくは、移動局ＵＥが「ＲＲＣ_ＩＤＬＥ状態」から「ＲＲＣ_ＣＯＮＮＥＣＴＥＤ状態」に遷移したことを契機に行われてもよい。  
かかる場合、移動管理ノードＭＭＥは、無線基地局ｅＮＢ＃１から送信される「Ｉｎｉｔｉａｌ  ＵＥ  Ｍｅｓｓａｇｅ」に含まれているセル＃１のＥ-ＣＧＩやＴＡＩに基づいて、測定対象エリア内のセル＃１で移動局ＵＥのＡｔｔａｃｈ処理が行われたこと、若しくは、測定対象エリア内のセル＃１で移動局ＵＥが「ＲＲＣ_ＣＯＮＮＥＣＴＥＤ状態」に遷移したことを検知する。
【００２８】
ステップＳ１００５において、無線基地局ｅＮＢ＃１は、移動局ＵＥに対して、「Ｍｅａｓｕｒｅｍｅｎｔ  Ｃｏｎｆｉｇｕｒａｔｉｏｎ＃１」を含む「ＲＲＣ  Ｃｏｎｎｅｃｔｉｏｎ  Ｒｅｃｏｎｆｉｇｕｒａｔｉｏｎ」を送信し、ステップＳ１００６において、移動局ＵＥは、無線基地局ｅＮＢ＃１に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００２９】
その後、ステップＳ１００７において、移動局ＵＥは、「Ｍｅａｓｕｒｅｍｅｎｔ  Ｃｏｎｆｉｇｕｒａｔｉｏｎ＃１」に基づいて、所望無線品質の測定及び報告を行う。
【００３０】
ステップＳ１１０１において、無線基地局ｅＮＢ＃１は、移動局ＵＥのセル＃２に対するハンドオーバ処理を行う場合、移動管理ノードＭＭＥに対して、「ＰＡＴＨ  ＳＷＩＴＣＨ  ＲＥＱＵＥＳＴ」或いは「ＨＯ  ＮＯＴＩＦＹ」を送信する。
【００３１】
移動管理ノードＭＭＥは、「ＰＡＴＨ  ＳＷＩＴＣＨ  ＲＥＱＵＥＳＴ」を受信した場合、ステップＳ１１０２において、無線基地局ｅＮＢ＃１に対して、「ＰＡＴＨ  ＳＷＩＴＣＨ  ＡＣＫＮＯＷＬＥＤＧＥＭＥＮＴ」を送信すると共に、ステップＳ１１０３において、「ＰＡＴＨ  ＳＷＩＴＣＨ  ＲＥＱＵＥＳＴ」に含まれているセル＃２のＥ-ＣＧＩやＴＡＩに基づいて、移動局ＵＥがセル＃２に移動したことを検知し、ステップＳ１１０４において、無線基地局ｅＮＢ＃１に対して、所望無線品質の測定及び報告を停止するように指示するための「Ｍｅａｓｕｒｅｍｅｎｔ  Ｃｏｎｆｉｇｕｒａｔｉｏｎ＃２」を含む「ＤＥＡＣＴＩＶＡＴＥ  ＴＲＡＣＥ」を送信する。
【００３２】
一方、  移動管理ノードＭＭＥは、「ＨＯ  ＮＯＴＩＦＹ」を受信した場合、ステップＳ１１０３において、「ＰＡＴＨ  ＳＷＩＴＣＨ  ＲＥＱＵＥＳＴ」に含まれているセル＃２のＥ-ＣＧＩやＴＡＩに基づいて、移動局ＵＥが測定対象エリア外のセル＃２に移動したことを検知し、ステップＳ１１０４において、無線基地局ｅＮＢ＃１に対して、所望無線品質の測定及び報告を停止するように指示するための「Ｍｅａｓｕｒｅｍｅｎｔ  Ｃｏｎｆｉｇｕｒａｔｉｏｎ＃２」を含む「ＤＥＡＣＴＩＶＡＴＥ  ＴＲＡＣＥ」を送信する。
【００３３】
ステップＳ１１０５において、無線基地局ｅＮＢ＃１は、移動局ＵＥに対して、「Ｍｅａｓｕｒｅｍｅｎｔ  Ｃｏｎｆｉｇｕｒａｔｉｏｎ＃２」を含む「ＲＲＣ  Ｃｏｎｎｅｃｔｉｏｎ  Ｒｅｃｏｎｆｉｇｕｒａｔｉｏｎ」を送信し、ステップＳ１１０６において、移動局ＵＥは、無線基地局ｅＮＢ＃１に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００３４】
その後、移動局ＵＥは、「Ｍｅａｓｕｒｅｍｅｎｔ  Ｃｏｎｆｉｇｕｒａｔｉｏｎ＃２」に基づいて、所望無線品質の測定及び報告を停止する。
【００３５】
本実施形態に係る移動通信システムによれば、特定の移動局ＵＥが特定エリア内のセルに移動した場合に所望無線品質を測定させて報告させることができる。
【００３６】
（本発明の第２の実施形態に係る移動通信システム）
図５乃至図１１を参照して、本発明の第２の実施形態に係る移動通信システムについて、上述の第１の実施形態に係る移動通信システムとの相違点に着目して説明する。
【００３７】
図５に示すように、無線基地局ｅＮＢは、測定対象エリア管理部２１と、受信部２２と、送信部２３とを具備している。
【００３８】
受信部２２は、移動管理ノードＭＭＥや移動局ＵＥや他の無線基地局ｅＮＢによって送信された信号を受信するように構成されている。
【００３９】
例えば、移動管理ノードＭＭＥから、測定対象エリアを特定する情報や、ＭＤＴとして測定すべき所望無線品質や、ＭＤＴにおける測定結果の報告方法等を受信するように構成されている。
【００４０】
測定対象エリア管理部２１は、移動管理ノードＭＭＥから取得した測定対象エリアを特定する情報や、ＭＤＴとして測定すべき所望無線品質や、ＭＤＴにおける測定結果の報告方法等を管理するように構成されている。
【００４１】
なお、測定対象エリア管理部２１は、図３（ａ）及び図３（ｂ）に示すように、測定対象エリアが緯度経度情報によって指定されている場合、測定対象エリアを特定する情報として、緯度経度情報によって指定された測定対象エリアを含むセル又はＴＡ（Ｔｒａｃｋｉｎｇ  Ａｒｅａ）のリストを管理するように構成されていてもよい。
【００４２】
送信部２３は、移動管理ノードＭＭＥや移動局ＵＥや他の無線基地局ｅＮＢに対して、信号を送信するように構成されている。
【００４３】
例えば、送信部２３は、移動局ＵＥに対して、「Ｍｅａｓｕｒｅｍｅｎｔ  Ｃｏｎｆｉｇｕｒａｔｉｏｎ」を含む「ＲＲＣ  Ｃｏｎｎｅｃｔｉｏｎ  Ｒｅｃｏｎｆｉｇｕｒａｔｉｏｎ」を送信するように構成されている。
【００４４】
以下、図６及び図７を参照して、本実施形態に係る移動通信システムの動作について説明する。
【００４５】
図６に示すように、ステップＳ２００１において、無線基地局ｅＮＢ＃１は、移動局ＵＥのセル＃１に対するハンドオーバ処理を行う場合、移動管理ノードＭＭＥに対して、「ＰＡＴＨ  ＳＷＩＴＣＨ  ＲＥＱＵＥＳＴ」或いは「ＨＯ  ＮＯＴＩＦＹ」を送信する。
【００４６】
移動管理ノードＭＭＥは、「ＰＡＴＨ  ＳＷＩＴＣＨ  ＲＥＱＵＥＳＴ」を受信した場合、ステップＳ２００２において、無線基地局ｅＮＢ＃１に対して、「ＰＡＴＨ  ＳＷＩＴＣＨ  ＡＣＫＮＯＷＬＥＤＧＥＭＥＮＴ」を送信すると共に、ステップＳ２００３において、「ＰＡＴＨ  ＳＷＩＴＣＨ  ＲＥＱＵＥＳＴ」に含まれているセル＃１のＥ-ＣＧＩやＴＡＩに基づいて、移動局ＵＥが測定対象エリア内のセル＃１に移動したことを検知し、ステップＳ２００４において、無線基地局ｅＮＢ＃１に対して、所望無線品質の測定及び報告を行うように指示するための「Ｍｅａｓｕｒｅｍｅｎｔ  Ｃｏｎｆｉｇｕｒａｔｉｏｎ＃１」を含む「ＴＲＡＣＥ  ＳＴＡＲＴ」を送信する。
【００４７】
一方、移動管理ノードＭＭＥは、「ＨＯ  ＮＯＴＩＦＹ」を受信した場合、ステップＳ２００３において、「ＰＡＴＨ  ＳＷＩＴＣＨ  ＲＥＱＵＥＳＴ」に含まれているセル＃１のＥ-ＣＧＩやＴＡＩに基づいて、移動局ＵＥが測定対象エリア内のセル＃１に移動したことを検知し、ステップＳ２００４において、無線基地局ｅＮＢ＃１に対して、所望無線品質の測定及び報告を行うように指示するための「Ｍｅａｓｕｒｅｍｅｎｔ  Ｃｏｎｆｉｇｕｒａｔｉｏｎ＃１」を含む「ＴＲＡＣＥ  ＳＴＡＲＴ」を送信する。
【００４８】
ステップＳ２００３の処理は、上述のハンドオーバに伴う処理（すなわち、ステップＳ２００１及び２００２の処理）が行われたケースに限らず、移動局ＵＥがネットワークに接続するＡｔｔａｃｈ処理が行われたこと、若しくは、移動局ＵＥが「ＲＲＣ_ＩＤＬＥ状態」から「ＲＲＣ_ＣＯＮＮＥＣＴＥＤ状態」に遷移したことを契機に行われてもよい。  
かかる場合、移動管理ノードＭＭＥは、無線基地局ｅＮＢ＃１から送信される「Ｉｎｉｔｉａｌ  ＵＥ  Ｍｅｓｓａｇｅ」に含まれているセル＃１のＥ-ＣＧＩやＴＡＩに基づいて、測定対象エリア内のセル＃１で移動局ＵＥのＡｔｔａｃｈ処理が行われたこと、若しくは、測定対象エリア内のセル＃１で移動局ＵＥが「ＲＲＣ_ＣＯＮＮＥＣＴＥＤ状態」に遷移したことを検知する。
【００４９】
ステップＳ２００５において、無線基地局ｅＮＢ＃１は、移動局ＵＥに対して、「Ｍｅａｓｕｒｅｍｅｎｔ  Ｃｏｎｆｉｇｕｒａｔｉｏｎ＃１」を含む「ＲＲＣ  Ｃｏｎｎｅｃｔｉｏｎ  Ｒｅｃｏｎｆｉｇｕｒａｔｉｏｎ」を送信し、ステップＳ２００６において、移動局ＵＥは、無線基地局ｅＮＢ＃１に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５０】
その後、ステップＳ２００７において、移動局ＵＥは、「Ｍｅａｓｕｒｅｍｅｎｔ  Ｃｏｎｆｉｇｕｒａｔｉｏｎ＃１」に基づいて、所望無線品質の測定及び報告を行う。
【００５１】
ステップＳ２１０１において、無線基地局ｅＮＢ＃１は、移動局ＵＥのセル＃２に対するハンドオーバ処理を行う場合、無線基地局ｅＮＢ＃２に対して、「ＨＡＮＤＯＶＥＲ  ＲＥＱＵＥＳＴ」を送信する。
【００５２】
ここで、例えば、無線基地局ｅＮＢ＃１は、図７に示すように、「ＨＡＮＤＯＶＥＲ  ＲＥＱＵＥＳＴ」内の情報要素「ＴＲＡＣＥ  ＡＣＴＩＶＡＴＩＯＮ」によって、移動管理ノードＭＭＥから取得した測定対象エリアを特定する情報（例えば、ＴＡＩのリストや、Ｅ-ＣＧＩのリストや、緯度経度情報で指定されたエリア等）を送信する。
【００５３】
無線基地局ｅＮＢ＃２は、ステップＳ２１０２において、「ＴＲＡＣＥ  ＡＣＴＩＶＡＴＩＯＮ」に含まれているＥ-ＣＧＩやＴＡＩ等に基づいて、移動局ＵＥが測定対象エリア外のセル＃２に移動したことを検知する。
【００５４】
ステップＳ２１０３において、無線基地局ｅＮＢ＃２は、移動局ＵＥに対して、「Ｍｅａｓｕｒｅｍｅｎｔ  Ｃｏｎｆｉｇｕｒａｔｉｏｎ＃２」を含む「ＲＲＣ  Ｃｏｎｎｅｃｔｉｏｎ  Ｒｅｃｏｎｆｉｇｕｒａｔｉｏｎ」を送信し、ステップＳ２１０３において、移動局ＵＥは、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５５】
その後、移動局ＵＥは、「Ｍｅａｓｕｒｅｍｅｎｔ  Ｃｏｎｆｉｇｕｒａｔｉｏｎ＃２」に基づいて、所望無線品質の測定及び報告を停止する。
【００５６】
なお、図８乃至１１に示すように、無線基地局ｅＮＢ＃１は、「ＨＡＮＤＯＶＥＲ  ＲＥＱＵＥＳＴ」内の情報要素「Ｈａｎｄｏｖｅｒ  Ｐｒｅｐａｒａｔｉｏｎ  Ｉｎｆｏｒｍａｔｉｏｎ」内の情報要素「ＡＳ-Ｃｏｎｆｉｇ」内の情報要素「ＭｅａｓＣｏｎｆｉｇ」内の情報要素「ＭｅａｓＯｂｊｅｃｔＴｏＡｄｄＭｏｄＬｉｓｔ」内の情報要素「ＭｅａｓＯｂｊｅｃｔＥＵＴＲＡ」によって、移動管理ノードＭＭＥから取得した測定対象エリアを特定する情報（例えば、ＴＡＩのリストや、Ｅ-ＣＧＩのリストや、緯度経度情報で指定されたエリア等）を送信してもよい。
【００５７】
以上に述べた本実施形態の特徴は、以下のように表現されていてもよい。
【００５８】
本実施形態の第１の特徴は、移動通信方法であって、移動管理ノードＭＭＥが、移動局ＵＥが測定対象エリア内のセル＃１（第１セル）に移動したことを検知した場合に、セル＃１を管理する無線基地局ｅＮＢ＃１（第１無線基地局）に対して、所望無線品質の測定及び報告を行うように指示するための「Ｍｅａｓｕｒｅｍｅｎｔ  Ｃｏｎｆｉｇｕｒａｔｉｏｎ＃１（第１指示情報）」を送信する工程と、無線基地局ｅＮＢ＃１が、移動局ＵＥに対して、「Ｍｅａｓｕｒｅｍｅｎｔ  Ｃｏｎｆｉｇｕｒａｔｉｏｎ＃１」を含む「ＲＲＣ  Ｃｏｎｎｅｃｔｉｏｎ  Ｒｅｃｏｎｆｉｇｕｒａｔｉｏｎ」を送信する工程とを有することを要旨とする。
【００５９】
本実施形態の第１の特徴において、移動管理ノードＭＭＥが、移動局ＵＥが測定対象エリア外のセル＃２（第２セル）に移動したことを検知した場合に、セル＃２を管理する無線基地局ｅＮＢ＃２（第２無線基地局）に対して、所望無線品質の測定及び報告を停止するように指示するための「Ｍｅａｓｕｒｅｍｅｎｔ  Ｃｏｎｆｉｇｕｒａｔｉｏｎ＃２（第２指示情報）」を送信する工程と、無線基地局ｅＮＢ＃２が、移動局ＵＥに対して、「Ｍｅａｓｕｒｅｍｅｎｔ  Ｃｏｎｆｉｇｕｒａｔｉｏｎ＃２」を送信する工程とを有してもよい。
【００６０】
本実施形態の第１の特徴において、移動管理ノードＭＭＥが、無線基地局ｅＮＢ＃１に対して、測定対象エリアを特定する情報を送信する工程と、無線基地局ｅＮＢ＃１が、セル＃２を管理する無線基地局ｅＮＢ＃２に対して、測定対象エリアを特定する情報を送信する工程と、無線基地局ｅＮＢ＃２が、測定対象エリアを特定する情報に基づいて、移動局ＵＥがセル＃２に移動したことを検知した場合に、移動局ＵＥに対して、所望無線品質の測定及び報告を停止するように指示するための「Ｍｅａｓｕｒｅｍｅｎｔ  Ｃｏｎｆｉｇｕｒａｔｉｏｎ＃２」を送信する工程とを有してもよい。
【００６１】
本実施形態の第１の特徴において、無線基地局ｅＮＢ＃１は、無線基地局ｅＮＢ＃２に対して、「ＨＡＮＤＯＶＥＲ  ＲＥＱＵＥＳＴ（ハンドオーバ要求信号）」によって、測定対象エリアを特定する情報を送信してもよい。
【００６２】
本実施形態の第１の特徴において、移動管理ノードＭＭＥは、無線基地局ｅＮＢ＃１から受信した「ＰＡＴＨ  ＳＷＩＴＣＨ  ＲＥＱＵＥＳＴ（パス切り替え要求信号）」或いは「ＨＯ  ＮＯＴＩＦＹ（ハンドオーバ通知信号）」に応じて、移動局ＵＥがセル＃１に移動したことを検知してもよい。
【００６３】
本実施形態の第２の特徴は、移動通信方法であって、移動管理ノードＭＭＥが、移動局ＵＥが測定対象エリア内のセル＃１でＡｔｔａｃｈ処理を行ったことを検知した場合に、セル＃１を管理する無線基地局ｅＮＢ＃１に対して、「Ｍｅａｓｕｒｅｍｅｎｔ  Ｃｏｎｆｉｇｕｒａｔｉｏｎ＃１」を送信する工程と、無線基地局ｅＮＢ＃１が、移動局ＵＥに対して、「Ｍｅａｓｕｒｅｍｅｎｔ  Ｃｏｎｆｉｇｕｒａｔｉｏｎ＃１」を送信する工程とを有することを要旨とする。
【００６４】
本実施形態の第３の特徴は、移動通信方法であって、移動管理ノードＭＭＥが、移動局ＵＥが測定対象エリア内のセル＃１で「ＲＲＣ_ＣＯＮＮＥＣＴＥＤ状態」に遷移したことを検知した場合に、セル＃１を管理する無線基地局ｅＮＢ＃１に対して、「Ｍｅａｓｕｒｅｍｅｎｔ  Ｃｏｎｆｉｇｕｒａｔｉｏｎ＃１」を送信する工程と、無線基地局ｅＮＢ＃１が、移動局ＵＥに対して、「Ｍｅａｓｕｒｅｍｅｎｔ  Ｃｏｎｆｉｇｕｒａｔｉｏｎ＃１」を送信する工程とを有することを要旨とする。
【００６５】
なお、上述のＯ＆Ｍサーバや移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、Ｏ＆Ｍサーバや移動管理ノードＭＭＥや無線基地局ｅＮＢや移動局ＵＥ内に設けられていてもよい。また、かかる記憶媒体及びプロセッサは、ディスクリートコンポーネントとしてＯ＆Ｍサーバや移動管理ノードＭＭＥや無線基地局ｅＮＢや移動局ＵＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ＵＥ…移動局
ＭＭＥ…移動管理ノード
１１…測定対象エリア管理部
１２…指示部
ｅＮＢ…無線基地局
２１…測定対象エリア管理部
２２…受信部
２３…送信部
【図１】
2012005109.tif 000003
【図２】
2012005109.tif 000004
【図３】
2012005109.tif 000005
【図４】
2012005109.tif 000006
【図５】
2012005109.tif 000007
【図６】
2012005109.tif 000008
【図７】
2012005109.tif 000009
【図８】
2012005109.tif 000010
【図９】
2012005109.tif 000011
【図１０】
2012005109.tif 000012
【図１１】
2012005109.tif 000013
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
移動管理ノードが、移動局が測定対象エリア内の第１セルに移動したことを検知した場合に、該第１セルを管理する第１無線基地局に対して、所望無線品質の測定及び報告を行うように指示するための第１指示情報を送信する工程と、
前記第１無線基地局が、前記移動局に対して、前記第１指示情報を送信する工程とを有することを特徴とする移動通信方法。
【請求項２】
前記移動管理ノードが、前記移動局が前記測定対象エリア外の第２セルに移動したことを検知した場合に、該第２セルを管理する第２無線基地局に対して、前記所望無線品質の測定及び報告を停止するように指示するための第２指示情報を送信する工程と、
前記第２無線基地局が、前記移動局に対して、前記第２指示情報を送信する工程とを有することを特徴とする請求項１に記載の移動通信方法。
【請求項３】
前記移動管理ノードが、前記第１無線基地局に対して、前記測定対象エリアを特定する情報を送信する工程と、
前記第１無線基地局が、前記測定対象エリア外の第２セルを管理する第２無線基地局に対して、前記測定対象エリアを特定する情報を送信する工程と、
前記第２無線基地局が、前記測定対象エリアを特定する情報に基づいて、前記移動局が前記第２セルに移動したことを検知した場合に、該移動局に対して、前記所望無線品質の測定及び報告を停止するように指示するための第２指示情報を送信する工程とを有することを特徴とする請求項１に記載の移動通信方法。
【請求項４】
前記第１無線基地局は、前記第２無線基地局に対して、ハンドオーバ要求信号によって、前記測定対象エリアを特定する情報を送信することを特徴とする請求項３に記載の移動通信方法。
【請求項５】
前記移動管理ノードは、前記第１無線基地局から受信したパス切り替え要求信号或いはハンドオーバ通知信号に応じて、前記移動局が前記第１セルに移動したことを検知することを特徴とする請求項１に記載の移動通信方法。